(57)【要約】【課題】第一の発明は、ユーザ機器をネットワークを介して管理することでメータの検針を自動化することができ、加入者情報とユーザ機器との対応付けをすることで保守管理を効率化し、ユーザ機器の買い替えに対して効率的な営業活動を行うことができ、第二の発明は、ユーザ機器が、管理メッセージを送信することができ、ユーザ機器の消耗に対して、効率的な消耗品の取り換えを行うことができ、第三の発明は、ユーザ宅内全体のエネルギー資源の使用量とユーザ機器それぞれのエネルギー資源の使用量とを階層的に管理することで、省資源化及び効率化できるユーザ機器管理システム及びユーザ機器管理方法を提供することを目的とする。【解決手段】本発明のユーザ機器管理システムは、ユーザ機器、メータ、エネルギー資源の供給者が有するセンターサーバ及びユーザ機器の製造者が有するサービスサーバをネットワーク化した。【選択図】図１
2011002944.tif 000002
【特許請求の範囲】
【請求項１】
加入者情報が登録された加入者データベースを有するセンターサーバと、エネルギー資源の使用量を計測するメータと、エネルギー資源を使用するユーザ機器とを備えるユーザ機器管理システムであって、
前記センターサーバは、前記メータへ、前記ユーザ機器が保持する装置種別番号を要求し、前記メータから、前記装置種別番号及び前記メータの固有番号を受信し、前記固有番号と前記加入者データベースとから、前記ユーザ機器と前記ユーザ機器の所有者とを対応付け、
前記メータは、前記固有番号を保持し、前記装置種別番号を確認し、前記装置種別番号の要求を前記ユーザ機器へ転送し、前記ユーザ機器から、前記装置種別番号を受信し、前記センターサーバへ、前記装置種別番号及び前記固有番号を送信し、
前記ユーザ機器は、前記装置種別番号を保持し、前記メータから、前記装置種別番号の要求を受信し、前記メータへ、前記装置種別番号を送信することを特徴とするユーザ機器管理システム。
【請求項２】
前記センターサーバは、さらに、サービス情報を蓄積したサービス情報データベースを有するサービスサーバから、前記サービス情報を受信し、前記サービス情報に含まれる装置種別番号を基準として、前記メータへ、前記装置種別番号を要求し、かつ、前記サービス情報を保持し、前記装置種別番号及び前記保持されたサービス情報を突合せて前記サービス情報の対象であるか否かを判定し、前記サービスサーバへ、前記加入者情報を送信し、利用者情報として受信することを特徴とする請求項１に記載のユーザ機器管理システム。
【請求項３】
加入者データベースを有するセンターサーバと、エネルギー資源の使用量を計測するメータと、エネルギー資源を使用するユーザ機器とを備えるユーザ機器管理システムであって、
前記ユーザ機器は、前記ユーザ機器の装置種別番号及び前記ユーザ機器の管理メッセージを保持し、前記メータへ、前記管理メッセージを送信し、
前記メータは、前記メータの固有番号を保持し、前記ユーザ機器から、前記管理メッセージを受信し、前記管理メッセージを確認し、前記センターサーバへ、前記管理メッセージ及び前記固有番号を送信し、
前記センターサーバは、前記メータから、前記管理メッセージ及び前記固有番号を受信し、前記固有番号を基に、前記加入者データベースを用いて、前記管理メッセージを送信したユーザ機器と、前記ユーザ機器の所有者とを対応付けることを特徴とするユーザ機器管理システム。
【請求項４】
前記センターサーバは、さらに、前記ユーザ機器を管理するサービスサーバへ前記管理メッセージ及び前記加入者情報を送信し、前記加入者情報は利用者情報として受信されることを特徴とする請求項３に記載のユーザ機器管理システム。
【請求項５】
加入者データベースを有するセンターサーバと、エネルギー資源の使用量を計測するメータと、エネルギー資源を使用するユーザ機器とを備えるユーザ機器管理システムであって、
前記センターサーバは、前記メータへ、前記ユーザ機器を制御する基準となる制御値及び前記ユーザ機器が使用するエネルギー資源の消費を抑制させる消費抑制命令を、前記メータの固有番号に基づいて通知し、
前記メータは、前記センターサーバから、前記制御値及び消費抑制命令を保持し、前記消費抑制命令を実行し、前記ユーザ機器へ、抑制運転命令を送信し、
前記ユーザ機器は、前記装置種別番号を保持し、前記メータから、前記抑制運転命令を受信することを特徴とするユーザ機器管理システム。
【請求項６】
前記センターサーバは、さらに、前記制御値を算出する制御サーバから、前記制御値を受信し、前記制御値と前記加入者データベースに登録された加入者情報とを対応付け、前記メータの固有番号と前記制御値とを、前記加入者データベースを用いて対応付け、
前記ユーザ機器は、前記メータにおいて前記ユーザ機器で消費されるエネルギー資源の使用量を計測し、計測したエネルギー資源の使用量より、前記制御値が小であるとき、前記抑制運転命令を実行することを特徴とする請求項５に記載のユーザ機器管理システム。
【請求項７】
前記制御サーバは、需要予測サーバとして需要予測情報データベースから需要予測情報を選択し、前記需要予測情報を基に前記制御値である需要予測値を予測し、前記需要予測値を利用者ごとに割り振ることで個別需要予測値とし、前記センターサーバへ、前記個別需要予測値を送信することを特徴とする請求項６に記載のユーザ機器管理システム。
【請求項８】
センターサーバが、エネルギー資源の使用量を計測するメータに接続され、エネルギー資源を使用するユーザ機器の装置種別番号から、前記ユーザ機器の所有者と加入者情報とを対応付けするユーザ機器管理方法であって、
前記センターサーバが、前記メータへ、前記装置種別番号を要求する装置種別番号要求ステップと、
前記メータが、前記ユーザ機器へ、前記装置種別番号の要求を転送する装置種別番号要求転送ステップと、
前記ユーザ機器が、前記メータから前記装置種別番号の要求を受信する装置種別番号要求受信ステップと、
前記ユーザ機器が、前記メータへ自己の記憶している装置種別番号を送信する装置種別番号送信ステップと、
前記メータが、前記ユーザ機器から前記装置種別番号を受信する装置種別番号受信ステップと、
前記メータが、受信した前記装置種別番号を確認する装置種別番号確認ステップと、
前記メータから、前記センターサーバへ前記装置種別番号及び前記メータが記憶している固有番号を送信するメータ固有番号送信ステップと、
前記センターサーバが、前記メータから前記装置種別番号及び前記固有番号を受信するメータ固有番号受信ステップと、
前記センターサーバが、前記固有番号を基に、前記センターサーバが有する加入者データベースを用いて、前記装置種別番号を送信したユーザ機器と、前記ユーザ機器の所有者とを対応付けする加入者情報対応付けステップと、
を順に有することを特徴とするユーザ機器管理方法。
【請求項９】
サービス情報データベースを有するサービスサーバが、前記ユーザ機器の装置種別番号を含むサービス情報を、前記センターサーバへ送信するサービス情報送信ステップと、
前記センターサーバが、前記サービス情報を受信し、かつ保持するサービス情報受信ステップとを順に、前記装置種別番号要求転送ステップの前に有し、
前記センターサーバが、前記保持したサービス情報と前記装置種別番号とを突合せ、サービス情報の対象であるか否か判定するサービス情報対象判定ステップを、
前記加入者情報対応付けステップの前、前記メータ固有番号受信ステップの後に有し、
前記センターサーバが、前記サービスサーバへ、前記加入者情報を送信する加入者情報送信ステップと、
前記サービスサーバが、前記センターサーバから前記加入者情報を受信し、かつ利用者情報とする利用者情報受信ステップと、
を順に、前記加入者情報対応付けステップの後に有し、
前記装置種別番号要求ステップにおいて、前記センターサーバが、前記サービス情報に含まれる装置種別番号を基準として、前記メータへ、前記装置種別番号を要求することを特徴とする請求項８に記載のユーザ機器管理方法。
【請求項１０】
センターサーバが、加入者情報を登録した加入者情報データベースを有し、エネルギー資源の使用量を計測するメータから送信された前記メータの固有番号を基に、管理メッセージを送信したエネルギー資源を使用するユーザ機器と前記ユーザ機器の所有者とを、加入者データベースを用いて対応付けるユーザ機器管理方法であって、
前記ユーザ機器が、前記メータへ、前記管理メッセージを送信する管理メッセージ送信ステップと、
前記メータが、前記ユーザ機器からの前記管理メッセージを受信する管理メッセージ受信ステップと、
前記メータが、受信した情報が前記管理メッセージであることを確認する管理メッセージ確認ステップと、
前記メータが、前記センターサーバへ、前記管理メッセージ及び前記固有番号を送信するメータ固有番号送信ステップと、
前記センターサーバが、前記固有番号及び前記管理メッセージを受信するメータ固有番号受信ステップと、
前記センターサーバが、前記固有番号を基に、前記センターサーバが有する加入者データベースを用いて、前記装置種別番号を送信したユーザ機器と、前記ユーザ機器の所有者とを対応付けする加入者情報対応付けステップと、
を順に有することを特徴とするユーザ機器管理方法。
【請求項１１】
前記センターサーバが、前記ユーザ機器を管理するサービスサーバへ、前記加入者情報及び前記管理メッセージを送信する加入者情報送信ステップと、
前記サービスサーバが、前記センターサーバから前記加入者情報及び前記管理メッセージを受信し、かつ前記加入者情報を利用者情報とする利用者情報受信ステップと、
を順に有することを特徴とする請求項１０に記載のユーザ機器管理方法。
【請求項１２】
センターサーバが、ユーザ機器を制御する基準とする制御値と、前記ユーザ機器が使用するエネルギー資源の消費を抑制させる消費抑制命令とを送信し、エネルギー資源の使用量を計測するメータが、前記制御値に基づいてエネルギー資源を使用するユーザ機器の制御を行うユーザ機器管理方法であって、
前記センターサーバが、前記メータへ前記制御値及び前記消費抑制命令を送信する制御値通知ステップと、
前記メータが、前記センターサーバからの前記制御値及び前記消費抑制命令を受信し、かつ保持する制御値保持ステップと、
前記メータが、前記消費抑制命令を実行し、抑制運転命令を前記ユーザ機器へ送信する抑制運転命令送信ステップと、
前記ユーザ機器が、前記メータからの前記抑制運転命令を受信する抑制運転命令受信ステップと、
を順に有することを特徴とするユーザ機器管理方法。
【請求項１３】
前記制御値を算出する制御サーバが、前記センターサーバへ前記制御値を送信する制御値送信ステップと、
前記センターサーバが、前記制御サーバからの前記制御値を受信する制御値受信ステップと、
前記センターサーバが、前記制御値と前記センターサーバが有する加入者データベースに登録された加入者情報とを対応付けする加入者情報対応付けステップと、
前記センターサーバが、前記制御値と前記メータの固有番号とを、前記加入者情報を用いて対応付けるメータ固有番号対応付けステップとを順に、前記制御値通知ステップの前に有し、
前記ユーザ機器が、前記抑制運転命令を実行する抑制運転命令実行ステップを、
前記抑制運転命令受信ステップの後に有することを特徴とする請求項１２に記載のユーザ機器管理方法。
【請求項１４】
前記制御サーバが、エネルギー資源の利用者それぞれの需要を予測する需要予測サーバとして、前記需要予測サーバの有する需要予測情報データベースから需要予測情報を選択し、前記需要予測情報を基に需要予測値を得る需要予測ステップと、
前記需要予測サーバが、前記需要予測値を、利用者ごとに割り振り、個別需要予測値とする需要予測値個別割り振りステップとを順に、前記制御値送信ステップの前に有し、
前記制御値送信ステップにおいて、前記需要予測サーバが、前記センターサーバへ、前記制御値として前記個別需要予測値を送信し、
前記抑制運転命令送信ステップにおいて、前記メータが、前記消費抑制命令を実行し、前記メータの測定値より、前記個別需要予測値が小となったとき、抑制運転命令を前記ユーザ機器へ送信することを特徴とする請求項１３に記載のユーザ機器管理方法。
【発明の詳細な説明】
【技術分野】
【０００１】
本発明は、ガスメータ、電力量計等のメータと、それに接続される家電機器、ガス機器等のユーザ機器を管理するシステム及びユーザ機器を管理する方法に関する。
【背景技術】
【０００２】
従来のユーザ機器管理システムは、家電機器やガス機器等のユーザ機器が接続される電力量計やガスメータ等のメータの検針を、固定電話網や携帯電話網等を用いてネットワーク化し、省力化を図っている（例えば、非特許文献１参照。）。また、ユーザ機器のネットワーク化については、ＯＡ機器、自動車、携帯電話、オーディオビジュアル製品を中心に広まっている（例えば、非特許文献２参照。）。
【先行技術文献】
【特許文献】
【０００３】
【非特許文献１】ＮＴＴテレコン株式会社、“様々な遠隔集中監視：水道自動検針システム”、［ｏｎｌｉｎｅ］、平成２１年３月１８日、ＮＴＴテレコン株式会社、［平成２１年３月１８日検索］、インターネット＜ＵＲＬ：ｈｔｔｐ：／／ｗｗｗ．ｎｔｔ−ｔｃ．ｃｏ．ｊｐ／ｓｙｓｔｅｍ／０１．ｈｔｍｌ＞
【非特許文献２】日経エレクトロニクス、“ＮＥ用語解説  ＯＳＧｉ  オーエスジーアイ”、［ｏｎｌｉｎｅ］、平成１９年２月２６日、日経エレクトロニクス、［平成２１年３月１８日検索］、インターネット＜ＵＲＬ：ｈｔｔｐ：／／ｔｅｃｈｏｎ．ｎｉｋｋｅｉｂｐ．ｃｏ．ｊｐ／ａｒｔｉｃｌｅ／ＷＯＲＤ／２００７０２２６／１２８１６８／＞
【発明の概要】
【発明が解決しようとする課題】
【０００４】
しかし、非特許文献１に記載される技術については、検針員によって検針を実施しているため、手作業の手間がかかる。また、非特許文献２に記載される技術については、家電機器やガス機器等のユーザ機器までネットワーク化されていない。
【０００５】
前記課題を解決するために、第一の発明は、ユーザ機器をネットワークを介して管理することでメータの検針を自動化することができ、また、加入者情報とユーザ機器とを対応付けすることでユーザ機器の製造者による保守管理を効率化することができるユーザ機器管理システム及びユーザ機器管理方法を提供することを目的とする。
【０００６】
また、前記課題を解決するために、第二の発明は、ユーザ機器が、ユーザ機器の製造者へ、管理メッセージを送信することで、ユーザ機器の製造者が、ユーザ機器を効率的に保守管理できるユーザ機器管理システム及びユーザ機器管理方法を提供することを目的とする。
【０００７】
そして、前記課題を解決するために、第三の発明は、ユーザ宅内全体のエネルギー資源の使用量とユーザ機器それぞれのエネルギー資源の使用量とを階層的に管理することができるユーザ機器管理システム及びユーザ機器管理方法を提供することを目的とする。
【課題を解決するための手段】
【０００８】
上記目的を達成するために、本発明のユーザ機器管理システムは、ユーザ機器、メータ、エネルギー資源の供給者が有するセンターサーバ及びユーザ機器の製造者が有するサービスサーバをネットワーク化した。
【０００９】
具体的には、第一の発明に係る本発明のユーザ機器管理システムは、加入者情報が登録された加入者データベースを有するセンターサーバと、エネルギー資源の使用量を計測するメータと、エネルギー資源を使用するユーザ機器とを備えるユーザ機器管理システムであって、前記センターサーバは、前記メータへ、前記ユーザ機器が保持する装置種別番号を要求し、前記メータから、前記装置種別番号及び前記メータの固有番号を受信し、前記固有番号と前記加入者データベースとから、前記ユーザ機器と前記ユーザ機器の所有者とを対応付け、前記メータは、前記固有番号を保持し、前記装置種別番号を確認し、前記装置種別番号の要求を前記ユーザ機器へ転送し、前記ユーザ機器から、前記装置種別番号を受信し、前記センターサーバへ、前記装置種別番号及び前記固有番号を送信し、前記ユーザ機器は、前記装置種別番号を保持し、前記メータから、前記装置種別番号の要求を受信し、前記メータへ、前記装置種別番号を送信することを特徴とする。
【００１０】
また、第一の発明の別の側面に係る本発明のユーザ機器管理方法は、センターサーバが、エネルギー資源の使用量を計測するメータに接続され、エネルギー資源を使用するユーザ機器の装置種別番号から、前記ユーザ機器の所有者と加入者情報とを対応付けするユーザ機器管理方法であって、前記センターサーバが、前記メータへ、前記装置種別番号を要求する装置種別番号要求ステップと、前記メータが、前記ユーザ機器へ、前記装置種別番号の要求を転送する装置種別番号要求転送ステップと、前記ユーザ機器が、前記メータから前記装置種別番号の要求を受信する装置種別番号要求受信ステップと、前記ユーザ機器が、前記メータへ自己の記憶している装置種別番号を送信する装置種別番号送信ステップと、前記メータが、前記ユーザ機器から前記装置種別番号を受信する装置種別番号受信ステップと、前記メータが、受信した前記装置種別番号を確認する装置種別番号確認ステップと、前記メータから、前記センターサーバへ前記装置種別番号及び前記メータが記憶している固有番号を送信するメータ固有番号送信ステップと、前記センターサーバが、前記メータから前記装置種別番号及び前記固有番号を受信するメータ固有番号受信ステップと、前記センターサーバが、前記固有番号を基に、前記センターサーバが有する加入者データベースを用いて、前記装置種別番号を送信したユーザ機器と、前記ユーザ機器の所有者とを対応付けする加入者情報対応付けステップと、を順に有することを特徴とする。
【００１１】
また、第一の発明に係る本発明のユーザ機器管理システムは、さらに、前記センターサーバは、サービス情報を蓄積したサービス情報データベースを有するサービスサーバから、前記サービス情報を受信し、前記サービス情報に含まれる装置種別番号を基準として、前記メータへ、前記装置種別番号を要求し、かつ、前記サービス情報を保持し、前記装置種別番号及び前記保持されたサービス情報を突合せて前記サービス情報の対象であるか否かを判定し、前記サービスサーバへ、前記加入者情報を送信し、利用者情報として受信することを特徴とする。
【００１２】
また、第一の発明の別の側面に係る本発明のユーザ機器管理方法は、さらに、サービス情報データベースを有するサービスサーバが、前記ユーザ機器の装置種別番号を含むサービス情報を、前記センターサーバへ送信するサービス情報送信ステップと、前記センターサーバが、前記サービス情報を受信し、かつ保持するサービス情報受信ステップとを順に、前記装置種別番号要求転送ステップの前に有し、前記センターサーバが、前記保持したサービス情報と前記装置種別番号とを突合せ、サービス情報の対象であるか否か判定するサービス情報対象判定ステップを、前記加入者情報対応付けステップの前、前記メータ固有番号受信ステップの後に有し、前記センターサーバが、前記サービスサーバへ、前記加入者情報を送信する加入者情報送信ステップと、前記サービスサーバが、前記センターサーバから前記加入者情報を受信し、かつ利用者情報とする利用者情報受信ステップと、
を順に、前記加入者情報対応付けステップの後に有し、前記装置種別番号要求ステップにおいて、前記センターサーバが、前記サービス情報に含まれる装置種別番号を基準として、前記メータへ、前記装置種別番号を要求することを特徴とする。
【００１３】
また、第二の発明に係る本発明のユーザ機器管理システムは、加入者データベースを有するセンターサーバと、エネルギー資源の使用量を計測するメータと、エネルギー資源を使用するユーザ機器とを備えるユーザ機器管理システムであって、前記ユーザ機器は、前記ユーザ機器の装置種別番号及び前記ユーザ機器の管理メッセージを保持し、前記メータへ、前記管理メッセージを送信し、前記メータは、前記メータの固有番号を保持し、前記ユーザ機器から、前記管理メッセージを受信し、前記管理メッセージを確認し、前記センターサーバへ、前記管理メッセージ及び前記固有番号を送信し、前記センターサーバは、前記メータから、前記管理メッセージ及び前記固有番号を受信し、前記固有番号を基に、前記加入者データベースを用いて、前記管理メッセージを送信したユーザ機器と、前記ユーザ機器の所有者とを対応付けることを特徴とする。
【００１４】
また、第二の発明の別の側面に係る本発明のユーザ機器管理方法は、センターサーバが、加入者情報を登録した加入者情報データベースを有し、エネルギー資源の使用量を計測するメータから送信された前記メータの固有番号を基に、管理メッセージを送信したエネルギー資源を使用するユーザ機器と前記ユーザ機器の所有者とを、加入者データベースを用いて対応付けるユーザ機器管理方法であって、前記ユーザ機器が、前記メータへ、前記管理メッセージを送信する管理メッセージ送信ステップと、前記メータが、前記ユーザ機器からの前記管理メッセージを受信する管理メッセージ受信ステップと、前記メータが、受信した情報が前記管理メッセージであることを確認する管理メッセージ確認ステップと、前記メータが、前記センターサーバへ、前記管理メッセージ及び前記固有番号を送信するメータ固有番号送信ステップと、前記センターサーバが、前記固有番号及び前記管理メッセージを受信するメータ固有番号受信ステップと、前記センターサーバが、前記固有番号を基に、前記センターサーバが有する加入者データベースを用いて、前記装置種別番号を送信したユーザ機器と、前記ユーザ機器の所有者とを対応付けする加入者情報対応付けステップと、を順に有することを特徴とする。
【００１５】
また、第二の発明に係る本発明のユーザ機器管理システムは、さらに、前記ユーザ機器を管理するサービスサーバへ前記管理メッセージ及び前記加入者情報を送信し、前記加入者情報は利用者情報として受信されることを特徴とする。
【００１６】
また、第二の発明の別の側面に係る本発明のユーザ機器管理方法は、前記ユーザ機器を管理するサービスサーバへ、前記加入者情報及び前記管理メッセージを送信する加入者情報送信ステップと、前記サービスサーバが、前記センターサーバから前記加入者情報及び前記管理メッセージを受信し、かつ前記加入者情報を利用者情報とする利用者情報受信ステップと、を順に有することを特徴とする。
【００１７】
また、第三の発明に係る本発明のユーザ機器管理システムは、加入者データベースを有するセンターサーバと、エネルギー資源の使用量を計測するメータと、エネルギー資源を使用するユーザ機器とを備えるユーザ機器管理システムであって、前記センターサーバは、前記メータへ、前記ユーザ機器を制御する基準となる制御値及び前記ユーザ機器が使用するエネルギー資源の消費を抑制させる消費抑制命令を、前記メータの固有番号に基づいて通知し、前記メータは、前記センターサーバから、前記制御値及び消費抑制命令を保持し、前記消費抑制命令を実行し、前記ユーザ機器へ、抑制運転命令を送信し、前記ユーザ機器は、前記装置種別番号を保持し、前記メータから、前記抑制運転命令を受信することを特徴とする。
【００１８】
また、第三の発明の別の側面に係る本発明のユーザ機器管理方法は、センターサーバが、ユーザ機器を制御する基準とする制御値と、前記ユーザ機器が使用するエネルギー資源の消費を抑制させる消費抑制命令とを送信し、エネルギー資源の使用量を計測するメータが、前記制御値に基づいてエネルギー資源を使用するユーザ機器の制御を行うユーザ機器管理方法であって、前記センターサーバが、前記メータへ前記制御値及び前記消費抑制命令を送信する制御値通知ステップと、前記メータが、前記センターサーバからの前記制御値及び前記消費抑制命令を受信し、かつ保持する制御値保持ステップと、前記メータが、前記消費抑制命令を実行し、抑制運転命令を前記ユーザ機器へ送信する抑制運転命令送信ステップと、前記ユーザ機器が、前記メータからの前記抑制運転命令を受信する抑制運転命令受信ステップと、を順に有することを特徴とする。
【００１９】
また、第三の発明に係る本発明のユーザ機器管理システムは、さらに、前記センターサーバは、前記制御値を算出する制御サーバから、前記制御値を受信し、前記制御値と前記加入者データベースに登録された加入者情報とを対応付け、前記メータの固有番号と前記制御値とを、前記加入者データベースを用いて対応付け、前記ユーザ機器は、前記メータにおいて前記ユーザ機器で消費されるエネルギー資源の使用量を計測し、計測したエネルギー資源の使用量より、前記制御値が小であるとき、前記抑制運転命令を実行することを特徴とする。
【００２０】
また、第三の発明の別の側面に係る本発明のユーザ機器管理方法は、さらに、前記制御値を算出する制御サーバが、前記センターサーバへ前記制御値を送信する制御値送信ステップと、前記センターサーバが、前記制御サーバからの前記制御値を受信する制御値受信ステップと、前記センターサーバが、前記制御値と前記センターサーバが有する加入者データベースに登録された加入者情報とを対応付けする加入者情報対応付けステップと、前記センターサーバが、前記制御値と前記メータの固有番号とを、前記加入者情報を用いて対応付けるメータ固有番号対応付けステップとを順に、前記制御値通知ステップの前に有し、前記ユーザ機器が、前記抑制運転命令を実行する抑制運転命令実行ステップを、前記抑制運転命令受信ステップの後に有することを特徴とする。
【００２１】
そして、第三の発明に係る本発明のユーザ機器管理システムは、さらに、前記制御サーバは、需要予測サーバとして需要予測情報データベースから需要予測情報を選択し、前記需要予測情報を基に前記制御値である需要予測値を予測し、前記需要予測値を利用者ごとに割り振ることで個別需要予測値とし、前記センターサーバへ、前記個別需要予測値を送信することを特徴とする。
【００２２】
そして、第三の発明の別の側面に係る本発明のユーザ機器管理方法は、さらに、前記制御サーバが、エネルギー資源の利用者それぞれの需要を予測する需要予測サーバとして、前記需要予測サーバの有する需要予測情報データベースから需要予測情報を選択し、前記需要予測情報を基に需要予測値を得る需要予測ステップと、前記需要予測サーバが、前記需要予測値を、利用者ごとに割り振り、個別需要予測値とする需要予測値個別割り振りステップとを順に、前記制御値送信ステップの前に有し、前記制御値送信ステップにおいて、前記需要予測サーバが、前記センターサーバへ、前記制御値として前記個別需要予測値を送信し、前記抑制運転命令送信ステップにおいて、前記メータが、前記消費抑制命令を実行し、前記メータの測定値より、前記個別需要予測値が小となったとき、抑制運転命令を前記ユーザ機器へ送信することを特徴とする。
【００２３】
なお、上記各発明は、可能な限り組み合わせることができる。
【発明の効果】
【００２４】
第一の発明によれば、ユーザ機器をネットワークを介して管理することでメータの検針を自動化することができ、また、加入者情報とユーザ機器との対応付けをすることでユーザ機器の製造者による保守管理を効率化することができるユーザ機器管理システム及びユーザ機器管理方法を提供できる。
【００２５】
第二の発明によれば、ユーザ機器が、ユーザ機器の製造者へ、管理メッセージを送信することで、ユーザ機器の製造者が、ユーザ機器を効率的に保守管理できるユーザ機器管理システム及びユーザ機器管理方法を提供できる。
【００２６】
第三の発明によれば、ユーザ宅内全体のエネルギー資源の使用量とユーザ機器それぞれのエネルギー資源の使用量とを階層的に管理することができるユーザ機器管理システム及びユーザ機器管理方法を提供できる。
【図面の簡単な説明】
【００２７】
【図１】本発明に係るユーザ機器管理システムである。
【図２】本発明の別の側面に係るユーザ機器管理方法のフローチャートである。
【図３】本発明に係るユーザ機器管理システムである。
【図４】本発明の別の側面に係るユーザ機器管理方法のフローチャートである。
【図５】本発明に係るユーザ機器管理システムである。
【図６】本発明の別の側面に係るユーザ機器管理方法のフローチャートである。
【発明を実施するための形態】
【００２８】
添付の図面を参照して本発明を説明する。以下に説明する実施形態は本発明の実施例であり、本発明は、以下に制限されるものではない。なお、本明細書及び図面において符号が同じ構成要素は、相互に同一のものを示すものとする。
【００２９】
（実施形態１）
本発明に係るユーザ機器管理システム及びユーザ機器管理方法の実施形態を説明する。図１は、本発明に係るユーザ機器管理システムの実施形態であり、サービス情報データベース２１を有するサービスサーバ１０−１と、加入者データベース２０−１を有するセンターサーバ１１−１と、エネルギー資源の使用量を計測するメータ１２−１と、エネルギー資源を使用するユーザ機器１３−１とを備えるユーザ機器管理システムである。図１において、１０−１はサービスサーバ、１１−１はセンターサーバ、１２−１はメータ、１３−１はユーザ機器、２１はサービス情報データベース、２０−１は加入者データベース、１００及び１０１はネットワークである。サービスサーバ１０−１は、ユーザ機器１３−１の製造者が有し、ネットワーク１００を介してセンターサーバ１１−１と接続し、サービス情報を提供する。また、サービスサーバ１０−１は、センターサーバ１１−１、メータ１２−１、ネットワーク１０１及びネットワーク１００を介して、エネルギー資源の利用者が所有するユーザ機器１３−１を管理する。
【００３０】
サービスサーバ１０−１が有するサービス情報データベース２１は、エネルギー資源の利用者が所有するユーザ機器１３−１の保守管理、或いはユーザ機器１３−１を製造した製造者の営業活動のためのサービス情報が記録されている。サービス情報とは、ユーザ機器１３−１にそれぞれに保持される装置種別番号に対応した情報であって、例えば、リコール対象のユーザ機器の情報、買い替え奨励対象のユーザ機器或いは部品交換対象のユーザ機器の情報である。エネルギー資源の供給者が有するセンターサーバ１１−１は、ネットワーク１０１を介して、メータ１２−１の固有番号を参照し、エネルギー資源を使用する加入者のメータ１２−１を検針する。そして、メータ１２−１に接続されたユーザ機器１３−１のエネルギー資源の使用量に応じた課金を行う。エネルギー資源とは、例えば電力、ガス、水道水である。センターサーバ１１−１が有する加入者データベース２０−１は、エネルギー資源を供給者からエネルギー資源の供給を受けている加入者の加入者情報が記録され、エネルギー資源の使用量に応じた課金を行う際に参照される。加入者の加入者情報とは、例えば、加入者の氏名、住所、加入者クラス、加入者のメータ１２−１の固有番号である。なお、加入者クラスとは、加入者を様々な基準によって分類したものであり、サービスの契約内容やサービスの利用頻度、加入者の属性情報等がある。この加入者クラスを基にして、提供サービス、サービス内容、サービス品質、料金設定等を変更する。また、加入者データベース２０−１は、エネルギー資源の供給中に随時取得した、エネルギー資源の使用量の情報や障害発生時のアラームの情報、ユーザ機器１３−１の装置種別番号及び需要予測情報を、取得したタイムスタンプ情報と組み合わせて追記する。
【００３１】
メータ１２−１は、エネルギー資源の供給を受けているユーザ宅におけるエネルギー資源の使用量を測定する機器であり、例えば電力量計、ガスメータである。メータ１２−１は、通常、センターサーバ１１−１へ、ユーザ機器１３−１のエネルギー資源の使用量の情報、障害発生時のアラーム情報等を送信している。また、メータ１２−１は、それぞれ異なる固有番号を保持している。ユーザ機器１３−１は、ユーザ宅に設けられた機器であり、エネルギー資源を使用して動作する。例えば、家電機器、ガス機器である。また、ユーザ機器１３−１は、それぞれ異なる装置種別番号を保持している。なお、ユーザ機器１３−１とメータ１２−１との間は、宅内通信手段によって接続されている。宅内通信手段とは、例えば、有線通信、近距離無線通信、電力線通信である。ネットワーク１００及びネットワーク１０１の接続方式は、有線又は無線を問わない。例えば、固定電話網、携帯電話網、広域ユビキタスネットワーク、インターネットである。図１においては別のネットワークとして図示しているが、同一のネットワークを共用してもよい。
【００３２】
次に、図２を参照して本発明に係るユーザ機器管理方法を説明する。図２は、ユーザ機器管理システムの動作を説明するフローチャートであり、センターサーバ１１−１が、エネルギー資源の使用量を計測するメータ１２−１に接続され、エネルギー資源を使用するユーザ機器１３−１の装置種別番号とサービスサーバ１０−１から得たサービス情報とから、サービス情報の対象のユーザ機器１３−１を判定して、ユーザ機器１３−１の所有者の加入者情報をサービスサーバ１０−１に送信するユーザ機器管理方法である。図２において、Ｓ１０１はサービス情報送信ステップ、Ｓ１０２はサービス情報受信ステップ、Ｓ１０３は装置種別番号要求ステップ、Ｓ１０４は装置種別番号要求転送ステップ、Ｓ１０５は装置種別番号要求受信ステップ、Ｓ１０６は装置種別番号送信ステップ、Ｓ１０７は装置種別番号受信ステップ、Ｓ１０８は装置種別番号確認ステップ、Ｓ１０９はメータ固有番号送信ステップ、Ｓ１１０はメータ固有番号受信ステップ、Ｓ１１１はサービス情報対象判定ステップ、Ｓ１１２は加入者情報対応付けステップ、Ｓ１１３は加入者情報送信ステップ、Ｓ１１４は加入者情報出力ステップ、Ｓ１１５は利用者情報受信ステップ、Ｓ１１６は利用者情報出力ステップである。
【００３３】
ユーザ機器１３−１の管理が開始されると、サービス情報送信ステップＳ１０１では、サービスサーバ１０−１は、サービスサーバ１０−１の有するサービス情報データベース２１から選択した、ユーザ機器１３−１の装置種別番号を含むサービス情報を、センターサーバ１１−１へ送信する。例えば、ユーザ機器１３−１がリコールの対象になった場合には、サービス情報データベース２１に記録されたリコール対象情報を送信する。同様に、部品交換の対象になった場合には、部品交換対象情報を送信し、ユーザ機器１３−１が買い替え時期に達した場合は、買い替え対象情報を送信する。サービス情報受信ステップＳ１０２では、センターサーバ１１−１が、サービスサーバ１０−１からのサービス情報を受信し、かつ一時的に保持する。装置種別番号要求ステップＳ１０３では、センターサーバ１１−１が、受信したサービス情報を基に、全てのメータへ、メータに接続されたユーザ機器１３−１が保持する装置種別番号を要求する。装置種別番号要求転送ステップＳ１０４では、装置種別番号を要求された全てのメータが、ユーザ機器１３−１へ、装置種別番号の要求を転送する。装置種別番号要求受信ステップＳ１０５では、ユーザ機器１３−１が、メータ１２−１から装置種別番号の要求を受信する。装置種別番号送信ステップＳ１０６では、装置種別番号の要求に対し、該当する装置種別番号を保持するユーザ機器１３−１から、装置種別番号を、メータ１２−１へ送信する。
【００３４】
装置種別番号受信ステップＳ１０７では、メータ１２−１が、ユーザ機器１３−１から装置種別番号を受信する。装置種別番号確認ステップＳ１０８では、メータ１２−１は、通常、エネルギー資源の使用量、又は障害発生時のアラーム等を送信しているため、受信した装置種別番号を、センターサーバ１１−１から要求された装置種別番号であることを確認する。メータ固有番号送信ステップＳ１０９では、メータ１２−１が、センターサーバ１１−１へ、ユーザ機器１３−１の装置種別番号及びメータ１２−１が保持している固有番号を送信する。すなわち、要求した装置種別番号を保持しているユーザ機器１３−１が接続されているメータ１２−１を明確にする。メータ固有番号受信ステップＳ１１０では、センターサーバ１１−１が、メータ１２−１からユーザ機器１３−１の装置種別番号及びメータ１２−１の固有番号を受信する。
【００３５】
サービス情報対象判定ステップＳ１１１では、センターサーバ１１−１が、サービス情報受信ステップＳ１０２において保持していたサービス情報と受信したユーザ機器１３−１の装置種別番号とを突合せ、サービス情報の対象のユーザ機器１３−１であるか否か判定する。ここで、突合せによる判定とは、サービス情報受信ステップＳ１０２において保持していたサービス情報に含まれている装置種別番号と受信したユーザ機器１３−１の装置種別番号とを比較し、同じであればサービス情報の対象のユーザ機器１３−１であると判定することである。ここで、例えば、サービス情報がリコール対象情報の場合、センターサーバ１１−１は、ユーザ機器１３−１に表示装置等が備えられていれば、リコール対象であることを表示する表示要求を、メータ１２−１を介してユーザ機器１３−１へ送信する。また、必要に応じて、ユーザ機器１３−１の電源切断要求又は機能停止要求をメータ１２−１を介してユーザ機器１３−１に送信する。加入者情報対応付けステップＳ１１２では、センターサーバ１１−１が、メータ１２−１の固有番号とセンターサーバ１１−１が有する加入者データベース２０−１に登録された加入者情報とを対応付けする。この場合の対応付けとは、メータ１２−１の固有番号と共に受信した装置種別番号と、加入者情報と共に登録された装置種別番号とを照合し、メータ１２−１の固有番号と加入者情報とを、一対一に対応付けすることである。
【００３６】
加入者情報送信ステップＳ１１３では、センターサーバ１１−１が、サービスサーバ１０−１へ加入者情報を送信する。加入者情報出力ステップＳ１１４では、センターサーバ１１−１に備えられた出力装置に、サービス対象と判定されたユーザ機器の所有者の加入者情報が出力される。出力装置は、例えばディスプレイ、プリンタである。利用者情報受信ステップＳ１１５では、サービスサーバ１０−１が、センターサーバ１１−１から加入者情報を受信し、かつ利用者情報とする。利用者情報出力ステップＳ１１６では、サービスサーバ１０−１に備えられた出力装置に、サービス対象と判定されたユーザ機器の所有者の利用者情報が出力される。出力装置は、例えばディスプレイ、プリンタである。サービスサーバ１０−１を有するユーザ機器１３−１の製造者は、出力された利用者情報を参照し、サービス情報送信ステップＳ１０１において、リコール対象情報を送信した場合には、リコールの対象であるユーザ機器１３−１の回収を行い、部品交換対象を送信した場合には、部品交換の対象であるユーザ機器１３−１の部品を交換し、買い替え対象情報を送信した場合には、ユーザ機器１３−１の買い替え奨励営業を行う。
【００３７】
以上説明したように、この発明によれば、センターサーバ１１−１を有するエネルギー資源の供給者は、ユーザ機器１３−１を、メータ１２−１、ネットワーク１００及びネットワーク１０１を介して管理することで、メータ１２−１に接続されたユーザ機器１３−１において使用されたエネルギー資源の使用量を自動検針することが可能となり、手作業による検針の手間を省くことができる。また、サービスサーバ１０−１を有するユーザ機器１３−１の製造者は、加入者データベース２０−１に登録された加入者情報とメータ１２−１の固有番号とを対応付ける。この場合の対応付けとは、メータ１２−１の固有番号と共に受信した装置種別番号と、加入者情報と共に登録された装置種別番号とを照合し、メータ１２−１の固有番号と加入者情報とを、一対一に対応付けすることである。対応付けすることで、ユーザ機器１３−１のサービス情報、例えばリコール対象情報又は部品交換情報を効率的に提供することができ、保守管理を的確に行うことができる。また、ユーザ機器１３−１の買い替え奨励営業に適した情報を効率的に得ることができ、営業活動を的確に行うことができる。
【００３８】
（実施形態２）
次に、本発明に係るユーザ機器管理システム及びユーザ機器管理方法の他の形態を説明する。図３は、本発明に係るユーザ機器管理システムの他の実施形態であり、サービスサーバ１０−２と、加入者データベース２０−２を有するセンターサーバ１１−２と、エネルギー資源の使用量を計測するメータ１２−２と、エネルギー資源を使用するユーザ機器１３−２とを備えるユーザ機器管理システムである。図３において、１０−２はサービスサーバ、１１−２はセンターサーバ、１２−２はメータ、１３−２はユーザ機器、２０−２は加入者データベース、１００及び１０１はネットワークである。なお、図１において説明した要素については、説明を省略する。ユーザ機器１３−２は、管理メッセージを保持している。管理メッセージとは、ユーザ機器１３−２の装置種別番号及びユーザ機器１３−２に使用される消耗品の消耗水準、エラーメッセージの基準、リセットの基準、ユーザ機器１３−２の使用頻度、使用回数又は使用期間、或いは温度、湿度、汚れ具合等の運転状況を含む情報である。
【００３９】
次に、図４を参照して本発明に係るユーザ機器管理方法の他の形態を説明する。図４は、ユーザ機器管理システムの動作を説明するフローチャートであり、センターサーバ１１−２が、エネルギー資源の使用量を計測するメータ１２−２から送信されたメータ１２−２の固有番号と、エネルギー資源を使用するユーザ機器１３−２から送信された装置種別番号及びユーザ機器１３−２の管理メッセージとをサービスサーバ１０−２へ送信するユーザ機器管理方法である。図４において、Ｓ２０１は管理メッセージ送信ステップ、Ｓ２０２は管理メッセージ受信ステップ、Ｓ２０３は管理メッセージ確認ステップ、Ｓ２０４はメータ固有番号送信ステップ、Ｓ２０５はメータ固有番号受信ステップ、Ｓ２０６は加入者情報対応付けステップ、Ｓ２０７は加入者情報送信ステップ、Ｓ２０８は利用者情報受信ステップ、Ｓ２０９は利用者情報出力ステップである。
【００４０】
例えば、ユーザ機器１３−２に用いられている消耗品の消耗度が一定以下の水準となったとき、ユーザ機器１３−２が、管理メッセージ送信ステップＳ２０１において、メータ１２−２へ、管理メッセージを送信する。管理メッセージ受信ステップＳ２０２では、メータ１２−２が、ユーザ機器１３−２からの管理メッセージを受信する。管理メッセージ確認ステップＳ２０３では、メータ１２−２が、受信した情報について、エネルギー資源の使用量に関する情報又は障害発生時のアラーム情報ではなく、管理メッセージであることを確認する。メータ固有番号送信ステップＳ２０４では、メータ１２−２が、センターサーバ１１−２へ、管理メッセージ及びメータ１２−２の固有番号を送信する。すなわち、管理メッセージを送信したユーザ機器１３−２が接続されているメータ１２−２を明確にする。メータ固有番号受信ステップＳ２０５では、センターサーバ１１−２が、メータ１２−２の固有番号及び管理メッセージを受信する。
【００４１】
加入者情報対応付けステップＳ２０６では、センターサーバ１１−２が、メータ１２−２の固有番号とセンターサーバ１１−２が有する加入者データベースとを対応付ける。この場合の対応付けとは、メータ１２−２の固有番号と共に受信した装置種別番号と、加入者情報と共に登録された装置種別番号とを照合し、メータ１２−２の固有番号と加入者情報とを、一対一に対応付けすることである。すなわち、管理メッセージを送信したユーザ機器１３−２の所有者を明確にする。加入者情報送信ステップＳ２０７では、センターサーバ１１−２が、サービスサーバ１０−２へ、加入者情報及び管理メッセージを送信する。利用者情報受信ステップＳ２０８では、サービスサーバ１０−２が、センターサーバ１１−２から加入者情報及び管理メッセージを受信し、かつ加入者情報を利用者情報とする。利用者情報出力ステップＳ２０９では、センターサーバ１１−２に備えられた出力装置に、管理メッセージ及びユーザ機器１３−２の所有者の加入者情報が出力される。出力装置は、例えばディスプレイ、プリンタである。サービスサーバ１０−２を有するユーザ機器１３−２の製造者は、受信した利用者情報を参照して、消耗した消耗品の取り換えを実施する。
【００４２】
以上説明したように、この発明によれば、ユーザ機器１３−２が、ユーザ機器１３−２の製造者へ、センターサーバ１１−２、ネットワーク１００及びネットワーク１０１を介して管理メッセージを送信することができ、ユーザ機器１３−２の製造者が、ユーザ機器１３−２の利用者のユーザ機器１３−２を効率的に保守管理できる。また、ユーザ機器１３−２の消耗品の消耗に対して、効率的な消耗品の取り換えを行うことができる。
【００４３】
（実施形態３）
さらに、本発明に係るユーザ機器管理システム及びユーザ機器管理方法の他の形態を説明する。図５は、本発明に係るユーザ機器管理システムの他の実施形態であり、制御値を需要予測値とした場合の実施形態である。需要予測情報データベース２２を有する需要予測サーバ１４と、加入者データベース２０−３を有するセンターサーバ１１−３と、エネルギー資源の使用量を計測するメータ１２−３と、エネルギー資源を使用するユーザ機器１３−３とを備えるユーザ機器管理システムである。図５において、１４は需要予測サーバ、１１−３はセンターサーバ、１２−３はメータ、１３−３はユーザ機器、２０−３は加入者データベース、２２は需要予測情報データベース、１００及び１０１はネットワークである。なお、図１において説明した要素については、説明を省略する。需要予測サーバ１４は、エネルギー資源の需要を予測するために用いられる需要予測情報データベース２２、図示しない需要を予測する需要予測器、及び図示しない需要予測を利用者ごとに割り当てる個別需要割り当て器を有している。需要予測情報データベース２２は、気象データ、イベントデータ等の需要予測情報を有する。また、メータ１２−３には、抑制運転命令が保持されている。
【００４４】
以下、図６を参照して本発明に係るユーザ機器管理方法の他の形態を説明する。図６は、ユーザ機器管理システムの動作を説明するフローチャートであり、需要予測サーバ１４が、利用者それぞれの需要を予測して個別需要予測値とし、センターサーバ１１−３が、個別需要予測値と消費抑制命令とを送信し、エネルギー資源の使用量を計測するメータ１２−３が、個別需要予測値に基づいてエネルギー資源を使用するユーザ機器１３−３の制御を行うユーザ機器管理方法である。図６において、Ｓ３０１は需要予測ステップ、Ｓ３０２は需要予測値個別割り振りステップ、Ｓ３０３は制御値送信ステップ、Ｓ３０４は制御値受信ステップ、Ｓ３０５は加入者情報対応付けステップ、Ｓ３０６はメータ固有番号対応付けステップ、Ｓ３０７は制御値通知ステップ、Ｓ３０８は制御値保持ステップ、Ｓ３０９は抑制運転命令送信ステップ、Ｓ３１０は抑制運転命令受信ステップ、Ｓ３１１は抑制運転命令実行ステップである。
【００４５】
ある期間のエネルギー資源の需要を予測し、ユーザ機器１３−３におけるエネルギー資源の消費抑制を図るため、需要予測ステップＳ３０１が開始される。需要予測ステップＳ３０１では、需要予測サーバ１４が有する需要予測器は、需要予測サーバ１４の有する需要予測情報データベース２２から気象データやイベントデータ等の需要予測情報を選択し、需要予測情報を基にエネルギー資源の需要予測値を得る。需要予測値個別割り振りステップＳ３０２では、特にエネルギー資源の供給余力逼迫の予測される期間に対して、需要予測ステップＳ３０１において得られた需要予測値を、需要予測サーバ１４が有する個別需要割り当て器が、利用者ごとに割り振る。割り振るとは、利用者ごとに、例えば過去の実績に応じた割合に分割して個別需要予測値とすることである。制御値送信ステップＳ３０３では、需要予測サーバ１４が、センターサーバ１１−３へ、エネルギー資源の利用者情報とともに制御値として個別需要予測値を送信する。制御値受信ステップＳ３０４では、センターサーバ１１−３が、需要予測サーバ１４から、エネルギー資源の利用者情報とともに制御値として個別需要予測値を受信する。加入者情報対応付けステップＳ３０５では、センターサーバ１１−３が、エネルギー資源の利用者情報とともに受信した個別需要予測値と、センターサーバ１１−３が有する加入者データベース２０−３に登録された加入者情報とを対応付けする。この場合の対応付けとは、エネルギー資源の利用者情報と加入者データベース２０−３に登録された加入者情報を照合し、個別需要予測値と加入者情報とを対応付けることである。対応付けされた個別需要予測値は保持される。保持された個別需要予測値は、加入者の履歴としてユーザ機器１３−３の消費抑制結果とともに記録し、エネルギー資源を供給する際に、課金計算に反映させる。或いは、保持された個別需要予測値は、加入者クラスを更新する際の基礎情報となる。
【００４６】
メータ固有番号対応付けステップＳ３０６では、センターサーバ１１−３が、個別需要予測値とメータ１２−３の固有番号とを対応付ける。この場合の対応付けとは、加入者データベースに登録されたメータ１２−３の固有番号と加入者情報とを照合し、メータ１２−３の固有番号と加入者情報とを、一対一に対応付けすることである。すなわち、個別需要予測値を送信するメータ１２−３を明確にする。制御値通知ステップＳ３０７では、センターサーバ１１−３が、メータ１２−３へ制御値としての個別需要予測値及び消費抑制命令を送信する。制御値保持ステップＳ３０８では、メータ１２−３が、センターサーバ１１−３からの制御値としての個別需要予測値及び消費抑制命令を受信し、かつ保持する。抑制運転命令送信ステップＳ３０９では、メータ１２−３が、保持した消費抑制命令を実行し、メータ１２−３に接続されたユーザ機器１３−３において使用されるエネルギー資源の使用量を測定する。メータ１２−３における測定値より、個別需要予測値が小となったとき、メータ１２−３にあらかじめ保持されていた抑制運転命令をユーザ機器１３−３へ送信する。抑制運転命令受信ステップＳ３１０では、ユーザ機器１３−３が、メータ１２−３からの抑制運転命令を受信する。抑制運転命令実行ステップＳ３１１では、ユーザ機器１３−３が、抑制運転命令を実行する。抑制運転命令の実行とは、メータ１２−３における測定値が、個別需要予測値に収まるようにユーザ機器１３−３の運転を抑制することである。ユーザ機器１３−３は、抑制運転命令を実行することで、需要予測に準じたエネルギー資源の効率的な抑制が可能となる。
【００４７】
以上説明したように、この発明によれば、ユーザ機器１３−３のユーザは、ユーザ宅内全体のエネルギー資源の使用量と個々のユーザ機器１３−３のエネルギー資源の使用量とを階層的に管理することで、ユーザ機器１３−３の運転状況を管理することができ、エネルギー資源の省資源化及びエネルギー資源の効率的な利用が可能となる。
【産業上の利用可能性】
【００４８】
本発明のユーザ機器管理システム及びユーザ機器管理方法は、ガスメータ、電力量計等のメータと、それに連なる家電機器、ガス機器等のユーザ機器の管理に適用することができる。
【符号の説明】
【００４９】
１０−１，１０−２：サービスサーバ
１１−１，１１−２，１１−３：センターサーバ
１２−１，１２−２，１２−３：メータ
１３−１，１３−２，１３−３：ユーザ機器
１４：需要予測サーバ
２０−１，２０−２，２０−３：加入者データベース
２１：サービス情報データベース
２２：需要予測情報データベース
１００，１０１：ネットワーク
Ｓ１０１：サービス情報送信ステップ
Ｓ１０２：サービス情報受信ステップ
Ｓ１０３：装置種別番号要求ステップ
Ｓ１０４：装置種別番号要求転送ステップ
Ｓ１０５：装置種別番号要求受信ステップ
Ｓ１０６：装置種別番号送信ステップ
Ｓ１０７：装置種別番号受信ステップ
Ｓ１０８：装置種別番号確認ステップ
Ｓ１０９：メータ固有番号送信ステップ
Ｓ１１０：メータ固有番号受信ステップ
Ｓ１１１：サービス情報対象判定ステップ
Ｓ１１２：加入者情報対応付けステップ
Ｓ１１３：加入者情報送信ステップ
Ｓ１１４：加入者情報出力ステップ
Ｓ１１５：利用者情報受信ステップ
Ｓ１１６：利用者情報出力ステップ
Ｓ２０１：管理メッセージ送信ステップ
Ｓ２０２：管理メッセージ受信ステップ
Ｓ２０３：管理メッセージ確認ステップ
Ｓ２０４：メータ固有番号送信ステップ
Ｓ２０５：メータ固有番号受信ステップ
Ｓ２０６：加入者情報対応付けステップ
Ｓ２０７：加入者情報送信ステップ
Ｓ２０８：利用者情報受信ステップ
Ｓ２０９：利用者情報出力ステップ
Ｓ３０１：需要予測ステップ
Ｓ３０２：需要予測値個別割り振りステップ
Ｓ３０３：制御値送信ステップ
Ｓ３０４：制御値受信ステップ
Ｓ３０５：加入者情報対応付けステップ
Ｓ３０６：メータ固有番号対応付けステップ
Ｓ３０７：制御値通知ステップ
Ｓ３０８：制御値保持ステップ
Ｓ３０９：抑制運転命令送信ステップ
Ｓ３１０：抑制運転命令受信ステップ
Ｓ３１１：抑制運転命令実行ステップ
【図１】
2011002944.tif 000003
【図２】
2011002944.tif 000004
【図３】
2011002944.tif 000005
【図４】
2011002944.tif 000006
【図５】
2011002944.tif 000007
【図６】
2011002944.tif 000008